(57)【要約】【課題】マスクを顔に着けたとき、左右の耳に掛けたゴム紐が左右に引っ張られることにより、横長の長方形状であるマスク本体の形状が横に細長い楕円形状に変形することを防ぐこと。【解決手段】リング状のゴム紐をマスク本体に取りつけるとき、マスク本体の中央付近に、左右のリング状のゴム紐が左右ほぼ同形状になるように当てがい、ゴム紐がマスク本体の中央付近でクロスして横断するように取りつけられ、マスク本体の左端側と右端側から外に引き出したゴム紐をそれぞれ左右の耳に掛けることにより、ゴム紐が左右に引っ張られても、マスク本体は変形しにくくなる。【選択図】　　図１
2004089645.tif 000002
【特許請求の範囲】
【請求項１】
一つのリング状のゴム紐（１）を左右ほぼ同形のリング状を有するようにねじり、マスク本体（１）内部の中央付近に、ゴム紐（２）をねじった部分（３）を当てがって固定したあと、ゴム紐（２）を耳（９）に掛けられるように、左側に位置しているリング状のゴム紐（２）の部分をマスク本体（１）の左端側から引き出すようにして這わせ、同じく、右側に位置しているリング状のゴム紐（２）の部分をマスク本体（１）の右端側から引き出すようにして這わせ、マスク本体（１）内部に挟み込んで、這わせたゴム紐（２）に沿って周囲を縫合することにより、マスク本体（１）の左端側と右端側から出ているゴム紐（２）の部分を左右の耳（９）にかけてマスクを顔に着けたとき、ゴム紐（２）は、ねじった部分（３）を中心として左右に引っ張られているため、ゴム紐（２）に沿ってマスク本体（１）は顔に押しつけられることになり、マスク本体（１）が、横に細長く変形しにくく為されたマスク。
【請求項２】
ほぼ同形の二つのリング状のゴム紐（２）を交差させ、外れないように交差部分（４）でつなぎ合わせることにより、左右に引っ張ったとき、左右にリング状を有する状態を作り出したゴム紐（２）を用いた請求項１のマスク。
【請求項３】
ほぼ同形の二つのリング状のゴム紐（２）の一部分を固着することにより、左右に引っ張ったとき、固着した部分（５）を中心として左右にリング状を有する状態を作り出したゴム紐（２）を用いた請求項１のマスク。
【請求項４】
ほぼ同形の二つのリング状のゴム紐（２）の一部分を縛って接続させ縛った部分（６）を作ることにより、左右に引っ張ったとき、左右にリング状を有する状態を作り出したゴム紐（２）を用いた請求項１のマスク。
【請求項５】
一つのリング状のゴム紐（２）を、ダンベル形状（７）の輪郭のような形状に沿って、マスク本体（１）に取りつけることにより、左右にリング状を有する状態を作り出したゴム紐（２）を用いた請求項１のマスク。
【請求項６】
マスク本体（１）の中央付近に、リング状の中央部ゴム紐（８）を取りつけ、二つのほぼ同形のリング状のゴム紐（２）で、中央部ゴム紐（８）の左側と右側から挟み込むようにしてそれぞれ接続させてマスク本体（１）に取りつけた請求項１のマスク。
【発明の詳細な説明】
【０００１】
【発明の属する技術分野】
本発明は、風邪や花粉症のとき、マスク本体の左右から出ているゴム紐を左右の耳に掛け、マスク本体が鼻や口を覆うことで、口から周囲にウイルスをまき散らしたり、外からのウイルスや花粉の侵入を防ぐために、顔に取りつけて使用するマスクにおいて、左右のゴム紐が引っ張られても、マスク本体が横に細長く変形しにくく為されたマスクに関する。
【０００２】
【従来の技術】
主に長方形の従来のマスクを顔に取りつけたとき、マスク本体と接続させているゴム紐は、マスク本体の左辺と右辺に沿ってマスク本体内部で左右別々に接続されていることが多く、左右のゴム紐を耳に掛けて左右に引っ張るとマスク本体も左右に引っ張られ、マスク本体の左端と右端は縦方向に縮まり、鼻と口を覆わなければならないマスク本体が、横に細長くなってしまっていた。また、マスク本体の上辺と下辺に沿って一つのリング状のゴム紐をマスク本体内部に接続させる場合もあるが、ゴム紐が左右に引っ張られるため、マスク本体の左端と右端が縦に縮められ、やはりマスク本体が横に細長く変形してしまうのであった。
【０００３】
【発明が解決しようとする課題】
マスク本体が、主に横長の長方形状のマスクにおいて、マスク本体の左辺と右辺に沿ってマスク本体内部に埋め込むようにリング状のゴム紐をそれぞれ左辺と右辺に接続させた場合、ゴム紐を右耳と左耳にそれぞれ掛けることにより、ゴム紐は伸びて左右に引っ張られるため、マスク本体の左端部分と右端部分は縦に縮まり、鼻と口を覆うために横長の長方形状に為されたマスク本体は、ラグビーボールを横にしたような横に細長い楕円形状に変形し、マスク本体が上にずれ上がったり、鼻から外れやすくなり、いちいち直さなければならず使いづらかった。また、マスク本体が左右に引っ張られ変形するため、鼻の両横部分は、隙間が大きく空きやすくなるので、花粉やウイルスの侵入を防ぐために、隙間が大きく空きにくいマスクが求められていた。
【０００４】
【課題を解決するための手段】
マスク本体の両側から出ているゴム紐をそれぞれ左右の耳に掛けて、ゴム紐が左右に引っ張られても、マスク本体が左右に強く引っ張られないように、マスク本体とゴム紐の接続方法を従来のようにマスク本体の左辺と右辺に沿うようにして、マスク本体内部の左端部と右端部に埋め込んで取りつけるのではなく、請求項１では、リング状のゴム紐を中心でねじったままマスク本体に取りつけ、請求項２では、二つのリング状のゴム紐を交差させることで、つなぎ合わせてマスク本体に取りつけ、請求項３では、二つのリング状のゴム紐の一部を固着することでつなぎ合わせてマスク本体に取りつけ、請求項４では、二つのリング状のゴム紐の一部を縛り、つなぎ合わせてマスク本体に取りつけ、請求項５では、一つのリング状のゴム紐をダンベルの輪郭のような形状に沿って左右にリング状を有するようにマスク本体に取りつけ、請求項６では、二つのほぼ同形のリング状のゴム紐で、中央部ゴム紐の左側と右側から挟み込むようにしてそれぞれ接続させてマスク本体に取りつけることにより、いずれの場合も、マスク本体の左端上部から外に伸ばされるゴム紐は、マスク本体内部を斜め下方向に通されマスク本体の右端下部から外に伸ばされ、左端下部から外に伸ばされるゴム紐は、マスク本体内部を斜め上方向に通され、マスク本体の右端上部から外に伸ばされ、マスク本体内部の真ん中付近を中心としてマスク本体の左右の上部から外へ伸ばされたゴム紐は、それぞれ左右の耳の上側方向にマスク本体の左右の下部から外へ伸ばされたゴム紐は、それぞれ左右の耳の下側方向に向かって伸ばされているので、マスク本体の左端側と右端側から外に伸ばされたゴム紐をそれぞれ左右の耳に掛けても、マスク本体の左端部が左耳側に引っ張られ、右端部が右耳側に引っ張られるだけではなく、マスク本体が全体的に左右に引っ張られるため、従来のマスクに比べて、ゴム紐が左右に引っ張られることによりマスク本体が横に細長い楕円形状に変形して鼻から外れたり、ずれ上がったりすることが少ないマスクと為すことができる。
【０００５】
【発明の実施の形態】
本発明は、マスク本体に接続するゴム紐の取りつけ方を変えることにより、ゴム紐が左右に引っ張られることで、横長の長方形状のマスク本体が横に細長い楕円形状に変形しにくくするものである。
【０００６】
ゴム紐が左右に引っ張られることで横長の長方形状のマスク本体が、横に細長い楕円形状に変形しにくくするために、請求項１では、一つのリング状のゴム紐を中心付近でねじったまま、マスク本体内部に接続させて取りつけるのである。
【０００７】
また、同様に、マスク本体が横に細長い楕円形状に変形しないように、請求項２では、二つのリング状のゴム紐を、外れないように交差させ、マスク本体内部に接続させて取りつけるものであり、請求項３では、二つのリング状のゴム紐の一部を固着させ、請求項４では、二つのリング状のゴム紐の一部を縛り、マスク本体内部に接続させて取りつけるものであり、請求項５では、一つのリング状のゴム紐をダンベルの輪郭のような形状に沿って、左右にリング状を有するようにマスク本体内部に接続させて取りつけ、請求項６では、二つのほぼ同形のリング状のゴム紐で、中央部ゴム紐の左側と右側から挟み込むようにしてそれぞれ接続させてマスク本体に取りつけるものである。
【０００８】
ゴム紐をマスク本体に取りつけるとき、マスクのおもて面にむき出しのまま取りつけても良いが見栄えが悪く、マスクの裏面にむき出しのまま取りつけた場合は、ゴム紐が口と直接触れるため汚れやすくなるので、ゴム紐を取りつけるときは、ゴム紐がむき出しにならないようにマスク本体内部に埋め込むように取りつけると効果的である。
【０００９】
ゴム紐をマスク本体に取りつけるとき、請求項１では一つのリング状のゴム紐のねじっている部分、請求項２では二つのリング状のゴム紐の交差させている部分、請求項３では、二つのリング状のゴム紐を固着させている部分、請求項４では、二つのリング状のゴム紐を縛った部分、請求項５では、ダンベル形状の輪郭に沿って取りつけた中心部分をマスク本体の中央付近の位置に合わせて取りつけ、請求項６では、二つのほぼ同形のリング状のゴム紐で、中央部ゴム紐の左側と右側から挟み込むようにしてそれぞれ接続させてマスク本体に取りつけると、ゴム紐が左右に引っ張られたとき左右に同じ力で引っ張られるので、顔に着けたマスク本体が左右にずれにくくなり効果的である。
【００１０】
ゴム紐をマスク本体に取りつけるとき、一部分だけではなく取りつけるゴム紐に沿ってゴム紐の周囲を全体的に縫合しておくと、当初取りつけたマスク本体の位置からゴム紐が大きく上下に移動しなくなるので効果的である。
【００１１】
請求項１で使用するリング状のゴム紐をねじったときにできる左右のリング状の大きさや、請求項２や請求項３や請求項４や請求項５や請求項６の左右のリング状のゴム紐の大きさは、左右同じ大きさにすると、マスク本体の左側と右側から外に伸ばされた左右のゴム紐をそれぞれ左右の耳に掛けたとき、顔の中心から左右にずれることなくマスク本体を顔に着けることができるので効果的である。
【００１２】
ゴム紐をリング状にするとき、請求項１の場合、主に一つのゴム紐をねじって二つのリング状を作るので、請求項１のゴム紐はねじって二つのリング状のゴム紐を作ったとき、マスク本体に取りつけて両耳に掛けられる位のリング状の大きさやゴム紐の長さが必要であり、請求項２や請求項３や請求項４や請求項５や請求項６の場合も、マスク本体に取りつけて両耳に掛けることができるリング状の大きさやゴム紐の長さが必要なのである。
【００１３】
マスク本体の左端側と右端側から外へ引き出すように取りつけられているゴム紐は、伸ばしてそれぞれ左耳と右耳に掛けたとき、痛くなく、さらに、マスク本体を顔に押しつける力も弱くないバランスの良い、使い勝手の良いゴム紐の長さにするために、マスクの大きさやゴム紐の伸縮の強さを考慮しながら適宜の長さに決めると効果的である。
【００１４】
マスク本体にゴム紐を取りつけるときは、左右のリング状のゴム紐の中心をマスク本体の中央付近に合わせ、マスク本体の左上角部付近・右上角部付近・左下角部付近・右下角部付近から、それぞれマスク本体の左右の端部から外にゴム紐が引き出されて伸ばされるようにすることで、ゴム紐を左右の耳に掛けたとき、ゴム紐が左右に引っ張られても、ゴム紐は耳の後ろ側を回すように掛けられる方向に向かってマスク本体が伸ばされているので、従来のマスクのようにマスク本体の左端部と右端部が縦に縮まり、横に細長い楕円形になることが少なくなり効果的である。
【００１５】
マスク本体内部にゴム紐を取りつけた場合、マスク本体の外周は、縫合した方が使用中に端部からめくれることがなくなり効果的である。
【００１６】
マスク本体内部に請求項１のように主に一つのリング状のゴム紐をねじって取りつけるとき、左右同じ位の大きさのリング状になるようにゴム紐をねじった部分と、マスク本体の中央付近を固着することにより、マスク本体の左端側と右端側から外に伸ばされているゴム紐の部分を左右どちらか一方に引っ張っても、ゴム紐が偏らずに固着されている部分を中心として、左右に同じようにゴム紐を伸ばすことでき効果的である。
【００１７】
また、請求項２や請求項３や請求項４や請求項５や請求項６の場合も、左右のリング状のゴム紐の中心付近でマスク本体の中央付近と固着すると同様に効果的である。
【００１８】
請求項６のゴム紐をマスク本体に取りつけるときは、マスク本体を顔に着けたとき、唇があたる位置に中央部ゴム紐を取りつけ、二つのほぼ同形のリング状のゴム紐で、中央部ゴム紐の左側と右側から挟み込むようにしてそれぞれ接続させてマスク本体に取りつけると、ゴム紐での唇への押圧感が小さくなり効果的である。
【００１９】
本発明では、マスク本体へのゴム紐の取りつけ方が従来と異なるのであって、ゴム紐そのものは、従来のマスクに使用されているゴム紐を使用することも、新たにゴム紐の素材や強さや太さなどを変えて使用しても良いのである。
【００２０】
本発明は、マスク本体の大きさや形状が左右対称であり、マスク本体で口と鼻を覆う大きさと形状であれば、ほとんどのマスク本体に使用できるので、市場に出回っている従来のマスク本体に、ゴム紐を請求項１や請求項２や請求項３や請求項４や請求５や請求項６のように取りつけて使用でき効果的である。
【００２１】
左右のゴム紐の大きさは、請求項１、請求項２、請求項３、請求項４、請求項５、請求項６のいずれの場合も、左右ほぼ同じ大きさのリング状とした方が使いやすいが、横長の長方形であるマスク本体の形状に合わせながらゴム紐を取りつけるので、リング状と言っても、まったくの円形や楕円形にはならなくても良いのである。
【００２２】
【実施例】
実施例について図面を参照して説明すると、図１では、一つのリング状のゴム紐（２）を左右ほぼ同形のリング状を有するようにねじり、二つのリング状のゴム紐（２）を作り、ねじった部分（３）をマスク本体（１）内部の中央付近に合わせて固定し、ゴム紐（２）を耳（９）に掛けられるように、左側に位置しているリング状のゴム紐（２）を適宜マスク本体（１）の左端側から外へ引き出すように這わせ、同じく、右側に位置しているリング状のゴム紐（２）も適宜、マスク本体（１）の右端側から外へ引き出すようにしてゴム紐（２）をマスク本体（１）に這わせ、マスク本体（１）内部に挟み込んだあと、這わせたゴム紐（２）に沿って周囲を縫合して作製される請求項１の透視図である。
【００２３】
図２では、マスク本体（１）に、ほぼ同形の二つのリング状のゴム紐（２）を外れないように交差させておき、左右のほぼ同形のリング状のゴム紐（２）とし、左右のリング状のゴム紐（２）の交差部分（４）をマスク本体（１）の中央付近に合わせて固定させ、耳（９）に掛けられるように左側に位置しているリング状のゴム紐（２）を適宜マスク本体（１）の左端側から外へ引き出すようにし、同じく、右側に位置するリング状のゴム紐（２）も適宜、マスク本体（１）の右端側から外へ引き出すようにしてゴム紐（２）をマスク本体（１）に這わせ、マスク本体（１）内部に挟み込んだあと、這わせたゴム紐（２）に沿って周囲を縫合して作製される請求項２の透視図である。
【００２４】
図３では、マスク本体（１）に、ほぼ同形の二つのリング状のゴム紐（２）の一部を固着し、固着した部分（５）をマスク本体（１）の中央付近に合わせて固定させ、耳（９）に掛けられるように左側に位置しているリング状のゴム紐（２）を適宜マスク本体（１）の左端側から外へ引き出すようにし、右側に位置しているリング状のゴム紐（２）も適宜、マスク本体（１）の右端側から外へ引き出すようにしてマスク本体（１）に這わせ、マスク本体（１）内部に挟み込んだあと、這わせたゴム紐（２）に沿って周囲を縫合して作製される請求項３の透視図である。
【００２５】
図４では、マスク本体（１）に、ほぼ同形の二つのリング状のゴム紐（２）の一部を縛り、縛った部分（６）をマスク本体（１）の中央付近に合わせて固定させ、耳（９）に掛けられるように左側に位置しているリング状のゴム紐（２）を適宜、マスク本体（１）の左端側から外へ引き出すようにし、右側に位置しているリング状のゴム紐（２）も適宜、マスク本体（１）の右端側から外へ引き出すようにしてマスク本体（１）に這わせ、マスク本体（１）内部に挟み込んだあと、這わせたゴム紐（２）に沿って周囲を縫合して作製される請求項４の透視図である。
【００２６】
図５では、一つのリング状のゴム紐（２）を、マスク本体（１）に、ダンベル形状の（７）の輪郭に沿わせて取りつけ、マスク本体（１）の中央付近に位置しているゴム紐（２）の部分を固定させ、耳（９）に掛けられるように左側に位置しているゴム紐（２）を適宜、マスク本体（１）の左端側から外へ引き出すようにし、右側に位置しているゴム紐（２）も適宜、マスク本体（１）の右端側から外へ引き出すようにして、マスク本体（１）に這わせ、マスク本体（１）内部にゴム紐（２）を挟み込むように取りつけたあと、這わせたゴム紐（２）に沿って周囲を縫合して作製される請求項５の透視図である。
【００２７】
図６では、マスク本体（１）の中央付近に、リング状の中央部ゴム紐（８）を取りつけ、二つのほぼ同形のリング状のゴム紐（２）で、中央部ゴム紐（８）の左側と右側から挟み込むようにしてそれぞれ接続させて、耳（９）に掛けられるように左側に位置しているゴム紐（２）を適宜マスク本体（１）の左端側から外へ引き出すようにし、右側に位置しているゴム紐（２）も適宜マスク本体（１）の右端側から外に引き出すようにしてマスク本体（１）に這わせ、マスク本体（１）内部にゴム紐（２）と中央部ゴム紐（８）を挟み込むようにして取りつけたあと、這わせたゴム紐（２）と中央部ゴム紐（８）に沿って周囲を縫合して作製される請求項６の透視図である。
【００２８】
図７では、本発明の請求項１の使用状態を示す図であり、マスクは顔に着けるため、マスク本体（１）の左端側と右端側から外に引き出されているゴム紐（２）をそれぞれ左右の耳（９）に掛けて、ゴム紐（２）が左右に引っ張られても、ゴム紐（２）は、従来のようにマスク本体（１）の左端部分と右端部分だけに接続されて取りつけられているのではないので、マスク本体（１）を全体的に顔に押しつけやすくできる上に、従来のマスクに比べて、ゴム紐（２）が左右に引っ張られても、マスク本体（１）の左端部分と右端部分が縦に縮まり、マスク本体（１）が変形することがなくなるのであり、請求項２・請求項３・請求項４・請求項５・請求項６のゴム紐（２）の取りつけ方をしても、いずれの場合も、請求項１と同じような効果を得ることができるのである。
【００２９】
図８では、従来のマスクの使用状態を示した図であり、従来のマスクでは、それぞれ分離された二つのリング状のゴム紐（２）をマスク本体（１）に取りつけるとき、マスク本体（１）の左端部分に沿って一つのリング状のゴム紐（２）をマスク本体（１）の左端部分に埋め込むように取りつけ、同様に、右端部分に沿ってもう一つのリング状のゴム紐（２）もマスク本体（１）の右端部分に埋め込むように取りつけているため、マスク本体（１）から外に引き出されているゴム紐（２）をそれぞれ左右の耳（９）に掛けたとき、ゴム紐（２）が左右に引っ張られることにより、マスク本体（１）の左端部と右端部が縦に縮まり、元々は横長の長方形状であったマスク本体（１）の形状は、横に細長いラグビーボールのような楕円形状に変形せざるを得ず、使いづらかったのである。
【００３０】
ゴム紐（２）をマスク本体（１）内部に縫合して取りつけるときの順序としては、マスク本体（１）内部にゴム紐（２）を這わせてから、這わせたゴム紐（２）に沿ってゴム紐（２）の周囲を縫合してマスク本体（１）でゴム紐（２）を挟み込んでからマスク本体（１）の外周を縫合しても、マスク本体（１）で、這わせたゴム紐（２）を挟み込んでから、ゴム紐（２）に沿ってゴム紐（２）の周囲を縫合したあと、マスク本体（１）の外周を縫合してもどちらでも良いのである。
【００３１】
本発明は、従来のマスクのほとんどの形状に応用できるので、マスク本体（１）やゴム紐（２）の素材は、従来のマスクに使用している素材が使え便利である。
【００３２】
本発明は、マスク本体（１）が布や紙のような柔らかい素材で、ゴム紐（２）を取りつけられれば、ほとんどの形状に応用できるので便利である。
【００３３】
本発明は、マスク本体（１）から引き出された左右のゴム紐（２）を伸ばしてそれぞれ左右の耳（９）に掛けても、マスク本体（１）へのゴム紐（２）の取りつけ方を変えることにより、従来のように、マスク本体（１）の左端部分と右端部分が縦に縮んで変形しにくくすることを目的としており、マスク本体（１）のデザインや意匠を述べているものではないのである。
【００３４】
【発明の効果】
本発明は、以上述べてきたような内容で実施され、以下に記載されるような効果を奏する。
【００３５】
マスク本体から引き出されているそれぞれのゴム紐を左右の耳に掛けても、マスク本体に取りつけるゴム紐の取りつけ方が従来のマスクと異なるため、ゴム紐が左右に引っ張られてマスク本体の左端部分と右端部分が縦方向に縮まり、横長の長方形状のマスク本体が、横に細長い楕円形状に変形することが少なくなるのである。
【００３６】
マスク本体から引き出されているそれぞれのゴム紐を左右の耳に掛けても、マスク本体が縦方向に縮まり、横に細長く変形することが少ないので、マスク本体で鼻と口を覆っているとき、従来のマスクのようにしばらく顔に着けていると横に細長い楕円形状に変形することによって、マスク本体が鼻からずれて鼻を覆えなくなることがなくなり効果的である。
【００３７】
本発明は、マスクを顔に着けるとき、それぞれのゴム紐を左右の耳に掛けても、マスク本体が従来のマスクのように横に細長い楕円形状に変形しないので、マスクを顔に着けていても、マスク本体の位置が従来のマスクのように上にずれて、そのつど元の位置に戻さなければならないような面倒なことはなくなるので便利である。
【００３８】
従来のマスクでは、横長の長方形状のマスク本体の左端部分と右端部分が縦に縮まり、左右の耳の後ろを回すように掛けられたゴム紐の湾曲具合も狭くなり、伸ばされたゴム紐の力で締め付けられて耳の後側の付け根が痛くなることがあったが、本発明は、ゴム紐がマスク本体の中央部でクロスするように、上側角部付近から伸ばされたゴム紐は耳の上方向に向かって伸ばされ、下側角部付近から伸ばされたゴム紐は、耳の下方向に向かって伸ばされて耳に掛けられるため、従来のマスクに比べて、伸ばされたゴム紐の力で締め付けられて耳が痛くなることは軽減され効果的である。
【００３９】
本発明は、マスクを全体的に顔に押しつけるようにするために、マスク本体の中央付近をクロスするようにマスク本体の各角部方向へゴム紐が通っているので、従来のマスクに比べ、隙間ができにくくなっており、隙間から菌やウイルスを吐き出すことも、吸い込むことも従来のマスクより少なくなるので効果的である。
【図面の簡単な説明】
【図１】本発明の請求項１の透視図である。
【図２】本発明の請求項２の透視図である。
【図３】本発明の請求項３の透視図である。
【図４】本発明の請求項４の透視図である。
【図５】本発明の請求項５の透視図である。
【図６】本発明の請求項６の透視図である。
【図７】本発明の使用状態を示す図である。
【図８】従来のマスクの使用状態を示す図である。
【符号の説明】
１　マスク本体
２　ゴム紐
３　ねじった部分
４　交差部分
５　固着した部分
６　縛った部分
７　ダンベル形状中央部
８　中央部ゴム紐
９　耳
【図１】
2004089645.tif 000003
【図２】
2004089645.tif 000004
【図３】
2004089645.tif 000005
【図４】
2004089645.tif 000006
【図５】
2004089645.tif 000007
【図６】
2004089645.tif 000008
【図７】
2004089645.tif 000009
【図８】
2004089645.tif 000010